【手続補正書】
【提出日】令和3年4月28日(2021.4.28)
【手続補正１】
【補正対象書類名】特許請求の範囲
【補正対象項目名】全文
【補正方法】変更
【補正の内容】
【特許請求の範囲】
【請求項１】
患者の鼻炎を治療するための外科用プローブであって、
近位端および遠位端を有する細長いプローブシャフトと、
前記近位端に連結されたハンドルと、
前記プローブシャフトに連結された超音波トランスデューサと、
前記プローブシャフトに連結されたクライオアブレーション要素と、を備え、
前記超音波トランスデューサが、前記患者の鼻腔内部の標的治療部位の位置を決定するように構成され、
前記クライオアブレーション要素が、前記標的治療部位に位置決めされて、前記標的治療部位にクライオアブレーションを引き起こすように、少なくとも１つの鼻神経をアブレーションして、鼻炎の少なくとも１つの症状を緩和するように構成される外科用プローブ。
【請求項２】
前記超音波トランスデューサが、前記鼻腔内の粘膜組織の相対的な厚さを検出して、前記標的治療部位の前記位置に相関される解剖学的標識を識別するように構成される、請求項１に記載の外科用プローブ。
【請求項３】
前記超音波トランスデューサが、前記鼻腔内の口蓋骨または蝶形骨の相対的な厚さを検出することによって前記標的治療部位の前記位置を決定して、前記標的治療部位の前記位置に相関される解剖学的標識を識別するように構成され、または、
前記超音波トランスデューサが、前記鼻腔内の２つの骨の間、または前記鼻腔内の骨と軟骨との間の相対的な境界または移行部を検出して、前記標的治療部位の前記位置に相関される解剖学的標識を識別することによって、前記標的治療部位の前記位置を決定するように構成される、
請求項１または請求項２に記載の外科用プローブ。
【請求項４】
前記プローブシャフトに連結された第２の超音波トランスデューサをさらに備え、
前記超音波トランスデューサが、前記プローブシャフトの前記遠位端に向けて、前記クライオアブレーション要素の遠位で前記プローブシャフトに連結され、前記第２の超音波トランスデューサが、前記プローブシャフトの前記近位端に向けて、前記クライオアブレーション要素の近位で前記プローブシャフトに連結され、
前記超音波トランスデューサと前記第２の超音波トランスデューサとが、両方を用いて組織特性をどちらも検出することによって、前記標的治療部位の前記位置を決定するように構成される
請求項１〜３のいずれか１項に記載の外科用プローブ。
【請求項５】
前記クライオアブレーション要素と前記超音波トランスデューサとが、互いに対して所定の距離で前記プローブシャフトに連結され、
前記所定の距離が、前記超音波トランスデューサを用いて検出可能な解剖学的特徴と前記少なくとも１つの鼻神経との距離に対応し、
前記超音波トランスデューサが、前記解剖学的特徴を位置特定することによって、前記標的治療部位の前記位置を決定するように構成され、
前記クライオアブレーション要素が、前記超音波トランスデューサが前記解剖学的特徴の近位にあることを示す信号を前記超音波トランスデューサが検出している間に、前記少なくとも１つの鼻神経をアブレーションすることによって、前記標的治療部位を極低温でアブレーションするように構成される
請求項１〜４のいずれか１項に記載の外科用プローブ。
【請求項６】
前記超音波トランスデューサが、前記鼻腔内の中鼻甲介を検出することによって、前記外科用プローブが中鼻道を通って進んでいることを決定するように構成される、請求項１〜５のいずれか１項に記載の外科用プローブ。
【請求項７】
前記超音波トランスデューサは、前記プローブシャフトの長手方向軸に対して調整された角度に調整可能な角度で超音波ビームを放出し、
前記超音波トランスデューサは、前記超音波ビームで前記標的治療部位の位置を決定するように構成され、
前記超音波トランスデューサは、調整された角度で前記超音波ビームを使用して前記クライオアブレーションを監視するように構成される
請求項１から６のいずれか１項に記載の外科用プローブ。
【請求項８】
前記プローブシャフトは、前記超音波ビームの角度を前記プローブシャフトの前記長手方向軸に対して調整された角度に調整することを容易にするように構成された連節ジョイントを備える、請求項７に記載の外科用プローブ。
【請求項９】
前記プローブシャフトに連結され、前記標的治療部位の前記位置が決定されたときに前記鼻腔内部で視覚的標示を発するように構成された発光要素、または、
前記ハンドルに連結され、前記標的治療部位の前記位置が決定されたときに触覚標示を発するように構成された触覚フィードバック要素を備える、請求項１〜８のいずれか１項に記載の外科用プローブ。
【請求項１０】
前記超音波トランスデューサが、前記標的治療部位を極低温でアブレーションしている間に形成されるアイスボールのサイズを監視するように構成され、
調整された角度の前記超音波ビームは、前記アイスボールが形成される前記鼻腔内の組織と交差し、
前記クライオアブレーション要素が、前記アイスボールの前記サイズが所定のサイズ範囲に達したときにクライオアブレーションを終了するように構成される、請求項７に記載の外科用プローブ。
【手続補正２】
【補正対象書類名】明細書
【補正対象項目名】０１６６
【補正方法】変更
【補正の内容】
【０１６６】
本明細書で提供される技術の教示は、参照により組み込む出願に開示されるシステム、方法、およびデバイスを含めた他のシステムに適用することもできる。上述した様々な例、および参照により組み込む特許および出願に記載されている様々な例の要素および作用を組み合わせて、本技術のさらなる実装を可能にすることができる。いくつかの代替的な技術実装は、上述した実装への追加の要素を含むだけでなく、より少ない要素を含むこともある。さらに、本明細書に記す任意の具体的な数字は単なる例にすぎない。代替の実装は、異なる値または範囲を採用することができ、そのような範囲内および範囲の境界での値の様々な増分および勾配に対処することができる。さらに、本技術、および参照により組み込む出願に開示された技術の上述した特徴、利点、および特性は、１つまたは複数の実施形態において任意の適切な形で組み合わせることができる。特定の実施形態の具体的な特徴または利点の１つまたは複数を伴わずに本技術を実施することができることを当業者は認識されよう。なお、追加の特徴および利点は、本技術の特定の実施形態で理解することができる。
なお、本願の出願当初の特許請求の範囲は、以下の通りである。
［請求項１］
患者の鼻炎を治療するための方法であって、
外科用プローブを患者の鼻腔内に進めるステップであって、前記外科用プローブが、
近位端および遠位端を有する細長いプローブシャフトと、前記近位端に連結されたハンドルと、前記プローブシャフトに連結された超音波トランスデューサと、前記プローブシャフトに連結されたクライオアブレーション要素とを備える、ステップと、
前記超音波トランスデューサを用いて前記鼻腔内部の標的治療部位の位置を決定するステップと、
前記クライオアブレーション要素を前記標的治療部位に位置決めするステップと、
前記標的治療部位を極低温でアブレーションして、少なくとも１つの鼻神経をアブレーションし、鼻炎の少なくとも１つの症状を緩和するステップと
を含む方法。
［請求項２］
前記標的治療部位の前記位置を決定するステップが、前記超音波トランスデューサを用いて前記鼻腔内の粘膜組織の相対的な厚さを検出して、前記標的治療部位の前記位置に相関された解剖学的標識を識別することを含む、請求項１に記載の方法。
［請求項３］
前記標的治療部位の前記位置を決定するステップが、前記超音波トランスデューサを用いて前記鼻腔内の口蓋骨または蝶形骨の相対的な厚さを検出して、前記標的治療部位の前記位置に相関された解剖学的標識を識別することを含む、請求項１に記載の方法。
［請求項４］
前記標的治療部位の前記位置を決定するステップが、前記超音波トランスデューサを用いて、前記鼻腔内の２つの骨の間、または前記鼻腔内の骨と軟骨との間の相対的な境界または移行部を検出して、前記標的治療部位の前記位置に相関される解剖学的標識を識別することを含む、請求項１に記載の方法。
［請求項５］
前記移行部が、口蓋骨の垂直性を識別するために使用される１〜３ｍｍの骨に隣接する０．５〜１ｍｍ軟骨を含む、請求項４に記載の方法。
［請求項６］
前記外科用プローブが、前記プローブシャフトに連結された第２の超音波トランスデューサをさらに備え、
前記超音波トランスデューサが、前記プローブシャフトの前記遠位端に向けて、前記クライオアブレーション要素の遠位で前記プローブシャフトに連結され、前記第２の超音波トランスデューサが、前記プローブシャフトの近位端に向けて、および前記クライオアブレーション要素の近位で前記プローブシャフトに連結され、
前記標的治療部位の前記位置を決定するステップが、前記超音波トランスデューサと前記第２の超音波トランスデューサとの両方を用いて組織特性を検出することを含む、
請求項１に記載の方法。
［請求項７］
前記超音波トランスデューサと前記第２の超音波トランスデューサとを用いて組織特性を検出して、前記標的治療部位の前記位置を決定するステップが、前記クライオアブレーション要素が前記標的治療部位の前記位置に近接して位置決めされていることを示す相対的な粘膜組織の厚さを識別することを含む、請求項６に記載の方法。
［請求項８］
前記超音波トランスデューサと前記第２の超音波トランスデューサとを用いて組織特性を検出して、前記標的治療部位の前記位置を決定するステップが、前記クライオアブレーション要素が前記標的治療部位の前記位置に近接して位置決めされていることを示す相対的な骨の厚さを識別することを含む、請求項６に記載の方法。
［請求項９］
前記相対的な骨の厚さが、前記超音波トランスデューサが蝶形骨を検出しており、前記第２の超音波トランスデューサが口蓋骨を検出していることを示す、請求項８に記載の方法。
［請求項１０］
前記クライオアブレーション要素と前記超音波トランスデューサとが、互いに対して所定の距離で前記プローブシャフトに連結され、
前記所定の距離が、前記超音波トランスデューサを用いて検出可能な解剖学的特徴と前記少なくとも１つの鼻神経との距離に対応し、
前記標的治療部位の前記位置を決定するステップが、前記超音波トランスデューサを用いて前記解剖学的特徴を位置特定することを含み、
前記標的治療部位を極低温でアブレーションするステップが、前記超音波トランスデューサが前記解剖学的特徴の近位にあることを示す信号を前記超音波トランスデューサが検出している間に、前記少なくとも１つの鼻神経をアブレーションすることを含む、
請求項１に記載の方法。
［請求項１１］
前記解剖学的特徴が血管である、請求項１０に記載の方法。
［請求項１２］
前記外科用プローブを前記鼻腔内に進めるステップが、前記超音波トランスデューサを用いて前記鼻腔内の中鼻甲介を検出することによって、前記外科用プローブが中鼻道を通って進んでいることを決定することを含む、請求項１に記載の方法。
［請求項１３］
前記プローブシャフトが、前記クライオアブレーション要素に対する前記超音波トランスデューサの連節運動を容易にするように構成された連節ジョイントを備え、
前記超音波トランスデューサを用いて前記標的治療部位の前記位置を決定するステップが、前記鼻腔内部の組織のエリアをスイープするために前記連節ジョイントを用いて前記超音波トランスデューサを連節運動させることを含む
請求項１に記載の方法。
［請求項１４］
前記外科用プローブが、前記プローブシャフトに連結された発光要素をさらに備え、前記標的治療部位の前記位置が決定されたときに、前記発光要素が前記鼻腔内部で視覚的標示を発する、請求項１に記載の方法。
［請求項１５］
前記外科用プローブが、前記ハンドルに連結された触覚フィードバック要素をさらに備え、前記標的治療部位の前記位置が決定されたときに、前記触覚フィードバック要素が触覚標示を発する、請求項１に記載の方法。
［請求項１６］
前記クライオアブレーション要素が、伸張可能な構造体を備え、
前記標的治療部位を極低温でアブレーションするステップが、前記伸張可能な構造体の内部での極低温流体の蒸発により、前記伸張可能な構造体を膨張させることを含む
請求項１に記載の方法。
［請求項１７］
前記超音波トランスデューサ、または前記プローブシャフトに連結された第２の超音波トランスデューサを用いて前記標的治療部位を極低温でアブレーションする間に形成されるアイスボールのサイズを監視するステップをさらに含み、
前記超音波トランスデューサまたは前記第２の超音波トランスデューサが、前記アイスボールが生じる前記鼻腔内の組織に交差するように、前記プローブシャフトの長手方向軸に対してある角度で超音波ビームを放出する
請求項１に記載の方法。
［請求項１８］
前記アイスボールのサイズが所定のサイズ範囲に達したときにクライオアブレーションを終了するステップをさらに含む、請求項１７に記載の方法。
［請求項１９］
前記クライオアブレーション要素が、前記プローブシャフトに摺動可能に連結され、前記標的治療部位の前記位置が決定された後、前記シャフトに沿って前記外科用プローブシャフトの前記遠位端に向けて前記標的治療部位まで前記クライオアブレーション要素を摺動させることによって、前記クライオアブレーション要素が前記鼻腔内に進められる、請求項１に記載の方法。
［請求項２０］
患者の鼻炎を治療するための方法であって、
外科用プローブを患者の鼻腔内に進めるステップであって、前記外科用プローブが、
近位端および遠位端を有する細長いプローブシャフトと、前記近位端に連結されたハンドルと、前記プローブシャフトの前記遠位端に連結された超音波トランスデューサとを備える、ステップと、
前記超音波トランスデューサを用いて前記鼻腔内部の解剖学的特徴を検出して、標的治療部位の位置を決定するステップと、
前記超音波トランスデューサが前記検出された解剖学的特徴の近位に位置決めされた状態で、前記プローブシャフトに摺動可能に連結されたクライオアブレーション要素を、前記遠位端に向けて、前記決定された標的治療部位の位置まで進めるステップと、
前記超音波トランスデューサが前記検出された解剖学的特徴の近位に位置決めされた状態で、前記標的治療部位を極低温でアブレーションして、少なくとも１つの鼻神経をアブレーションして、鼻炎の少なくとも１つの症状を緩和するステップと
を含む方法。
［請求項２１］
前記解剖学的特徴が血管であり、
前記解剖学的特徴の位置を検出するステップが、前記血管内の血流を検出することを含む
請求項２０に記載の方法。
［請求項２２］
前記血管が蝶口蓋動脈または静脈である、請求項２１に記載の方法。
［請求項２３］
前記クライオアブレーション要素が、伸張可能な構造体を含み、
前記標的治療部位を極低温でアブレーションするステップが、前記伸張可能な構造体の内部での極低温流体の蒸発により、前記伸張可能な構造体を膨張させることを含む
請求項２０に記載の方法。
［請求項２４］
前記伸張可能な構造体が管腔を有し、
前記クライオアブレーション要素を進めるステップが、前記管腔を通して前記プローブシャフトを摺動させることを含む
請求項２３に記載の方法。
［請求項２５］
前記検出された解剖学的特徴と前記標的治療部位の位置との間の距離が、蝶口蓋動脈または静脈と前記少なくとも１つの鼻神経との間の距離に対応する、請求項２０に記載の方法。
［請求項２６］
超音波で測定された組織特性に基づいて、患者の鼻腔内部での治療処置を評価するための方法であって、
前記鼻腔の第１の超音波スキャンを用いて治療前の組織特性を評価するステップと、
前記鼻腔内部で治療処置を実施するステップと、
前記鼻腔の第２の超音波スキャンを用いて治療後の組織の特性を評価するステップと、
前記治療処置の有効性を査定するために、前記治療前の組織特性と前記治療後の組織特性との間の変化を評価するステップと
を含む方法。
［請求項２７］
前記治療処置を実施するステップが、鼻炎の少なくとも１つの症状を緩和するために、少なくとも１つの鼻神経を極低温でアブレーションすることを含む、請求項２６に記載の方法。
［請求項２８］
前記治療前の組織特性および前記治療後の特性が、粘膜組織の厚さ、浮腫、または体液含有量を含む、請求項２７に記載の方法。
［請求項２９］
前記治療前の組織特性と前記治療後の組織特性との間の変化を評価するステップが、超音波トランスデューサによって鼻腔壁に加えられる接触力または超音波ビームの入射角を考慮に入れることをさらに含む、請求項２８に記載の方法。
［請求項３０］
前記第１および第２の超音波スキャンが、前記粘膜組織のエコー発生性、エラストグラフィ、または弾性測定値を含む、請求項２８に記載の方法。
［請求項３１］
治療前の組織特性と前記治療後の組織特性との間の変化の前記評価に応じて前記鼻腔を再治療するステップをさらに含む、請求項２６に記載の方法。
［請求項３２］
前記治療処置を実施するステップが、前記鼻腔を機械的、化学的、電気的、または熱的に治療することを含む、請求項２６に記載の方法。
［請求項３３］
患者の鼻炎を治療するための外科用プローブであって、
近位端および遠位端を有する細長いプローブシャフトと、
前記近位端に連結されたハンドルと、
前記プローブシャフトに連結された超音波トランスデューサと、
前記プローブシャフトに連結されたクライオアブレーション要素とを備え、
前記超音波トランスデューサが、前記患者の鼻腔内部の標的治療部位の位置を決定するように構成され、
前記クライオアブレーション要素が、前記標的治療部位に位置決めされて、前記標的治療部位を極低温でアブレーションして、少なくとも１つの鼻神経をアブレーションして、鼻炎の少なくとも１つの症状を緩和するように構成される
外科用プローブ。
［請求項３４］
前記超音波トランスデューサが、前記鼻腔内の粘膜組織の相対的な厚さを検出して、前記標的治療部位の前記位置に相関される解剖学的標識を識別するように構成される、請求項３３に記載の外科用プローブ。
［請求項３５］
前記超音波トランスデューサが、前記鼻腔内の口蓋骨または蝶形骨の相対的な厚さを検出することによって前記標的治療部位の前記位置を決定して、前記標的治療部位の前記位置に相関される解剖学的標識を識別するように構成される、請求項３３または３４に記載の外科用プローブ。
［請求項３６］
前記超音波トランスデューサが、前記鼻腔内の２つの骨の間、または前記鼻腔内の骨と軟骨との間の相対的な境界または移行部を検出して、前記標的治療部位の前記位置に相関される解剖学的標識を識別することによって、前記標的治療部位の前記位置を決定するように構成される、請求項３３から３５のいずれか１項に記載の外科用プローブ。
［請求項３７］
前記移行部が、口蓋骨の垂直性を識別するために使用される１〜３ｍｍの骨に隣接する０．５〜１ｍｍの軟骨を含む、請求項３６に記載の外科用プローブ。
［請求項３８］
前記プローブシャフトに連結された第２の超音波トランスデューサをさらに備え、
前記超音波トランスデューサが、前記プローブシャフトの前記遠位端に向けて、前記クライオアブレーション要素の遠位で前記プローブシャフトに連結され、前記第２の超音波トランスデューサが、前記プローブシャフトの前記近位端に向けて、前記クライオアブレーション要素の近位で前記プローブシャフトに連結され、
前記超音波トランスデューサと前記第２の超音波トランスデューサとが、両方を用いて組織特性をどちらも検出することによって、前記標的治療部位の前記位置を決定するように構成される
請求項３３から３７のいずれか１項に記載の外科用プローブ。
［請求項３９］
前記超音波トランスデューサと前記第２の超音波トランスデューサとが、前記クライオアブレーション要素が前記標的治療部位の前記位置に近接して位置決めされていることを示す相対的な粘膜組織の厚さを識別することによって、組織特性を検出して、前記標的治療部位の前記位置を決定するように構成される、請求項３８に記載の外科用プローブ。
［請求項４０］
前記超音波トランスデューサと前記第２の超音波トランスデューサとが、前記クライオアブレーション要素が前記標的治療部位の前記位置に近接して位置決めされていることを示す相対的な骨の厚さを識別することによって、組織特性を検出して、前記標的治療部位の前記位置を決定するように構成される、請求項３８に記載の外科用プローブ。
［請求項４１］
前記相対的な骨の厚さが、前記超音波トランスデューサが蝶形骨を検出しており、前記第２の超音波トランスデューサが口蓋骨を検出していることを示す、請求項４０に記載の外科用プローブ。
［請求項４２］
前記クライオアブレーション要素と前記超音波トランスデューサとが、互いに対して所定の距離で前記プローブシャフトに連結され、
前記所定の距離が、前記超音波トランスデューサを用いて検出可能な解剖学的特徴と前記少なくとも１つの鼻神経との距離に対応し、
前記超音波トランスデューサが、前記解剖学的特徴を位置特定することによって、前記標的治療部位の前記位置を決定するように構成され、
前記クライオアブレーション要素が、前記超音波トランスデューサが前記解剖学的特徴の近位にあることを示す信号を前記超音波トランスデューサが検出している間に、前記少なくとも１つの鼻神経をアブレーションすることによって、前記標的治療部位を極低温でアブレーションするように構成される
請求項３３から３７のいずれか１項に記載の外科用プローブ。
［請求項４３］
前記解剖学的特徴が血管である、請求項４２に記載の外科用プローブ。
［請求項４４］
前記超音波トランスデューサが、前記鼻腔内の中鼻甲介を検出することによって、前記外科用プローブが中鼻道を通って進んでいることを決定するように構成される、請求項３３から３８および４２のいずれか１項に記載の外科用プローブ。
［請求項４５］
前記プローブシャフトが、前記クライオアブレーション要素に対する前記超音波トランスデューサの連節運動を容易にするように構成された連節ジョイントを備え、
前記超音波トランスデューサが、前記鼻腔内部の組織のエリアをスイープするために前記連節ジョイントを用いて前記超音波トランスデューサを連節運動させることによって、前記標的治療部位の前記位置を決定するように構成される
請求項３３から３８、４２、および４４のいずれか１項に記載の外科用プローブ。
［請求項４６］
前記プローブシャフトに連結され、前記標的治療部位の前記位置が決定されたときに前記鼻腔内部で視覚的標示を発するように構成された発光要素をさらに備える、請求項３３から３８、４２、４４、および４５のいずれか１項に記載の外科用プローブ。
［請求項４７］
前記ハンドルに連結され、前記標的治療部位の前記位置が決定されたときに触覚標示を発するように構成された触覚フィードバック要素をさらに備える、請求項３３から３８、４２、４４、４５、および４６のいずれか１項に記載の外科用プローブ。
［請求項４８］
前記クライオアブレーション要素が、伸張可能な構造体を備え、前記伸張可能な構造体内部の低温流体の蒸発により膨張して、前記標的治療を極低温でアブレーションするように構成される、請求項３３から３８、４２、４４、４５、４６、および４７のいずれか１項に記載の外科用プローブ。
［請求項４９］
前記超音波トランスデューサが、前記標的治療部位を極低温でアブレーションしている間に形成されるアイスボールのサイズを監視するように構成され、
前記超音波トランスデューサが、前記アイスボールが生じる前記鼻腔内の組織に交差するように、前記プローブシャフトの長手方向軸に対してある角度で超音波ビームを放出するように構成される
請求項３３から３８、４２、４４、４５、４６、４７、および４８のいずれか１項に記載の外科用プローブ。
［請求項５０］
前記クライオアブレーション要素が、前記アイスボールの前記サイズが所定のサイズ範囲に達したときにクライオアブレーションを終了するように構成される、請求項４９に記載の外科用プローブ。
［請求項５１］
前記クライオアブレーション要素が、前記プローブシャフトに摺動可能に連結され、
前記クライオアブレーション要素が、前記超音波トランスデューサを用いて前記標的治療部位の前記位置が決定された後、前記クライオアブレーション要素を前記シャフトに沿って前記外科用プローブシャフトの前記遠位端に向けて前記標的治療部位まで摺動させることによって、前記鼻腔内に進められるように構成される
請求項３３から３８、４２、４４、４５、４６、４７、４８、および４９のいずれか１項に記載の外科用プローブ。
［請求項５２］
患者の鼻炎を治療するための外科用プローブであって、
近位端および遠位端を有する細長いプローブシャフトと、
前記近位端に連結されたハンドルと、
前記プローブシャフトの前記遠位端に連結された超音波トランスデューサと、
前記プローブシャフトに摺動可能に連結されたクライオアブレーション要素と、を備え、
前記超音波トランスデューサが、前記鼻腔内部の解剖学的特徴を検出して、標的治療部位の位置を決定するように構成され、
前記クライオアブレーション要素が、前記超音波トランスデューサが前記検出された解剖学的特徴の近位に位置決めされている間、前記遠位端に向けて、前記決定された標的治療部位に進められ、前記超音波トランスデューサが前記検出された解剖学的特徴に近接して位置決めされている間、前記標的治療部位を極低温でアブレーションして、前記少なくとも１つの鼻神経をアブレーションして、鼻炎の少なくとも１つの症状を緩和するように構成される
外科用プローブ。
［請求項５３］
前記解剖学的特徴が血管であり、
前記超音波トランスデューサが、前記血管内の血流を検出することによって、前記解剖学的特徴の前記位置を検出するように構成される
請求項５２に記載の外科用プローブ。
［請求項５４］
前記血管が蝶口蓋動脈または静脈である、請求項５３に記載の外科用プローブ。
［請求項５５］
前記クライオアブレーション要素が、伸張可能な構造体を備え、
前記クライオアブレーション要素が、前記伸張可能な構造体内部の低温流体の蒸発により前記伸張可能な構造体を膨張させることによって、前記標的治療部位を極低温でアブレーションするように構成される
請求項５２から５４のいずれか１項に記載の外科用プローブ。
［請求項５６］
前記伸張可能な構造体が管腔を有し、
前記クライオアブレーション要素が、前記管腔を通して前記プローブシャフトを摺動させることによって進められるように構成される
請求項５５に記載の外科用プローブ。
［請求項５７］
前記検出された解剖学的特徴と前記標的治療部位の位置との間の距離が、蝶口蓋動脈または静脈と前記少なくとも１つの鼻神経との間の距離に対応する、請求項５２から５６のいずれか１項に記載の外科用プローブ。